(57)【特許請求の範囲】
【請求項１】
長さ方向を同じ方向に揃えて多数の糸条（１９）を束ね、ヒートカッター（８１）で裁断して構成され、その裁断口（１０９）に出来る糸条（１９）の溶融物（９２）によって隣合う糸条片（１１）と糸条片（１１）が接合され、その溶融物（９２）によって底面（９３）が構成されている植栽資材。
【請求項２】
植栽資材を構成している糸条（１９）がプラスチックテープヤーンであり、その糸条（１９）の先端が縦割れしフィブリル化して毛羽立っている前掲請求項１に記載の植栽資材。
【請求項３】
植栽資材を構成している糸条（１９）がプラスチックテープヤーンであり、その糸条（１９）が、その長さ方向に続く折り目を有する前掲請求項１と請求項２の何れかに記載の植栽資材。
【発明の詳細な説明】
【０００１】
【発明の属する技術分野】
本発明は、切花の根元を支える用具（以下“切花支盤”と言う。）や苗床その他の植栽床に使用する物（本発明では“植栽資材”と言う。）に関するものである。
【０００２】
【従来の技術】
植物は水分を得て発芽し成長する。しかし、保湿性資材の全てが植栽床に適すると言うわけではなく、保湿性資材で植栽床を構成するにはそれなりの工夫と知見を要する。苗床や植栽床となし得る保湿性資材としては、土砂は周知である。近時は土砂に代えてポリウレタンフオームその他のプラスチック発泡体や不織布その他の繊維集合体に植栽する水耕栽培も公知である。
【０００３】
【発明が解決しようとする課題】
植栽の多くは土砂つまり地面に行われるが、高層住宅その他の都会の一般家庭では土砂は只では入手し難く、使用後の土砂の捨て場に困ることが多い。このため、ベランダその他の屋外スペースの狭い高層住宅では、土砂の取り扱いが特に難しく自由に植栽し得ない。その点、水耕栽培は都会での植栽に向く。しかし、施肥や水の管理に高度な技術を要し、植栽床用の発泡体や繊維集合体は使い捨てのため不経済で廃棄物処理の問題も生じる。従って、家庭での水耕栽培は、高価な観葉植物には適するが野菜その他の安価な植物の植栽には不向きである。
【０００４】
【発明の目的】
本発明は、剣山に代わる切花支盤としても使用し得、又、植栽床としても繰り返し使用し得、その繰り返し使用時に活性化させ易く、而も、軽くて持ち運び易くて取り扱い易く、都会での植栽に適し、且つ又、鮮度を保って野菜その他の植物を運搬する際の野菜保存床としても使用し得る植栽資材を安価に提供することを目的とする。
【０００５】
【課題を解決するための手段】
本発明の植栽床は、多数の糸条片１１を長さ方向を揃えて寄せ集めて成る植栽資材１６を、上部開口９５を有する容器に、その容器の深さ方向に糸条片の長さ方向を合わせて収容したことを第１の特徴とする。
【０００６】
本発明の植栽床の第２の特徴は、上記第１の特徴に加え、植栽資材１６を、上部開口９５を有する複数個の貯水容器９４に、その深さ方向に糸条片１１の長さ方向に合わせて収容し、貯水容器間を上部開口９５の下側で流通可能に連結したことにある。
【０００７】
本発明の植栽床の第３の特徴は、多数の糸条片１１を長さ方向を揃えて寄せ集め、上部開口９５を有する透水性容器１０２に、その深さ方向に糸条片１１の長さ方向を合わせて収容した植栽資材１６を、上部開口９５を有する貯水容器９４に、その深さ方向に糸条片１１の長さ方向を合わせて収容したことにある。
【０００８】
本発明の植栽床の第４の特徴は、上記第３の特徴に加え、植栽資材１６を複数個の貯水容器９４に収容し、上部開口９５の下側で貯水容器間を流通可能に連結したことにある。
【０００９】
本発明の植栽床の第５の特徴は、上記第１〜４の特徴に加え、貯水容器に、その容器９４の上部開口９５の下側で流通可能に給排水パイプ１１９を介して給排水容器９４′に連結して成り、給排水容器９４′の排水口１２７が、給排水パイプ１１９のレベルと上部開口９５のレベルの間まで、給排水容器９４′の空洞内部に向けて突き出ていることにある。
【００１０】
本発明の植栽床の第６の特徴は、上記第１の特徴に加え、糸条片１１の長さが、容器９４の深さよりも２〜１０ｃｍ短く、糸条片の先端突出面１３が容器の上部開口９５の下方に沈み、その先端突出面１３の上に土砂１４が堆積されており、容器９４がプラスチック製の貯水容器であり、先端突出面１３の下側において容器９４の側面に透水孔１０４を有することにある。
【００１１】
本発明のプランターの第１の特徴は、上部が開口部１２５となっている筐体１２６の内部に、上部開口９５を有する複数個の貯水容器９４を具備し、それらの上部開口９５の下側で貯水容器間が流通可能に連結されていることにある。
【００１２】
本発明のプランターの第２の特徴は、上記第１の特徴に加え、複数個の中の何れかの貯水容器９４の空洞内部に排水パイプ６８が突き出ていることにある。
【００１３】
本発明のプランター水受けは、植栽床３４の糸条片１１と糸条片１１の間に、容器９４に支持される補強材（７８、１３１、１３４）が介在していることを特徴とする。
【００１４】
本発明の苗床は、上記植栽資材１６の横断面積が最小となる部分における横断面の最小寸法が５〜３０ｍｍであり、糸条片１１の長さが１０〜１００ｍｍであることを特徴とする。
【００１５】
本発明の植栽装置は、上記の植栽床３４から植栽資材１６を取り除かれて構成されていることを特徴とする。
【００１６】
【実施の一般形態】
糸条片の長さが５ｃｍ以上とし、糸条集合体の一端において糸条片１１と糸条片１１を融着し、糸条片１１の溶融物９２で糸条集合体の底面９３を形成するとよい。糸条片１１には、横断面が扁平形のプラスチック製テープヤーンを用いるとよい。植栽床３４は、上部開口９５を有する容器本体９４と、その上部開口９５に嵌め合わされる蓋体９６から成るプタンター４０に、長さ方向を同じ方向に揃えて多数の糸条片１１を寄せ集めた糸条集合体として構成される植栽資材１６を装填し、蓋体９６に容器本体の底部９７に向けて陥没した窪み９８を設け、その窪み９８の底部に陥没開口９９を容器本体の底部９７に向けて開け、その陥没開口９６に植栽資材１６が底面９３を容器本体の内部１００に向けて差し込み、植栽資材１６の先端突出面１３を陥没開口９６から突き出して構成するとよい。窪み９８には、粒体１４を充填してもよい。植栽床３４を、長さ方向を同じ方向に揃えて多数の糸条片１１を寄せ集めた糸条集合体として構成される植栽資材１６を容器１０２に装填して構成する場合、容器１０２の内部を糸条片１１の長さよりも深くし、糸条片の長さ方向を容器の深さ方向に向けて植栽資材１６を容器１０２に装填し、容器１０２の深さと糸条片１１の長さとの差に応じた上部窪み１０３を容器１０２の上側部分に形成し、その上部窪み１０３の底部を植栽資材１６の先端突出面１３で構成するとよい。窪み９８には粒体１４を充填するとよい。容器１０２の植栽資材１６が装填されている下側部分に透水孔１０４を開けるとよい。容器１０２は内部容器として外部容器１０１に収められるようにするとよい。長さ方向を同じ方向に揃えて多数の糸条片１１を寄せ集めた糸条集合体としての植栽資材１６の底面の最大寸法は１０ｃｍ以下にするとよい。
【００１７】
植栽資材１６は、糸条片１１の先端１２が突出している先端突出面側１３から糸条片１１の間の隙間へと切花を差し込んで切花支盤や挿木支盤として使用し、又、その先端突出面１３に直接種子を播き、或いは、先端突出面１３の上に積層した天然土砂や人工土砂１４の表面地層１５に種子を播いて苗床や植栽床として使用し、或いは又、先端突出面側１３から糸条片１１と糸条片１１の間の隙間へと根付き野菜を差し込んで野菜保存床としても使用される。
【００１８】
本発明において“可撓性糸条片”とは、繊維や糸や紐の如く可撓で太さや幅が一定で細長く連続する物品を所要の長さに分断したものを意味する。繊維や糸や紐だけではなく、布帛やプラスチックフイルム等のシート類も可撓性糸条片として使用し得る。糸条片の“可撓性”は、折り曲げた際に亀裂せず、直角に折り曲げ得る程度のものであればよい。糸条片には、ポリエステル樹脂フイルム、ポリオレフイン樹脂フイルム、ポリ塩化ビニル樹脂フイルム、ポリアミド（ナイロン）樹脂フイルム、ポリ酢酸ビニル樹脂フイルム、エチレン酢酸ビニルコポリマー樹脂フイルム等の種々の合成樹脂フイルム、或いは、これらの合成樹脂フイルムを貼り合わせた紙や不織布、或いは又、種々の合成樹脂エマルジョンやラテックス等の塗料を塗布積層した紙や不織布や複合フイルムを使用することが出来る。これらのフイルムは、その長さ方向に続く縦襞や折り目を付け、或いは、その幅方向に皺寄らせ、又、その幅方向に折り畳み、或いは又、その幅方向に巻き上げる等して、細長くして使用するとよい。長さ方向を揃えて寄せ集めた状態では隣合う糸条片１１は互に触れ合って凭れ合っている。その糸条片１１が放射状に配列されたものであっても、糸条集合体の少なくとも一つの表面は、そこに突き出た糸条片１１の先端の集合として構成される。糸条集合体の内部には、糸条片１１の長さ方向に沿って細長く続く無数の隙間２１が、糸条片１１の先端１２の集合として構成される表面１３（以下、“先端突出面”と言う。）の続く方向に向けた広がりをもって連続形成される。
【００１９】
植栽資材１６は、一定の形を持つ糸状集合体として構成されるものであり、長さ方向を同じ方向に揃えて多数の糸条片１１を寄せ集めると共に、その状態を維持する一定の形状保持手段２２を要する。その状態を維持するためには、寄せ集めた糸条片１１を袋２３や篭２４その他の容器に詰め込む、寄せ集めた糸条片１１を結束する、寄せ集めた糸条片１１と糸条片１１の間を接着剤２９や繊維によって部分的に接合する、或いは、寄せ集める各糸条片１１の一端を基地３０に係止する等の方法が採られる。
【００２０】
【植栽資材の作用】
長さ方向を揃えた可撓性糸条片の集合体（１６）では、所要の糸条片と糸条片の間を自由に押し広げて、その糸条片と糸条片の間に割り込むように植物３１の幹や根（以下 “幹根" と言う。）を差し込める。押し広げた隙間は、糸条片１１の弾性回復力で閉じられるので、差し込んだ植物３１は糸状集合体に保持される。糸条集合体１６では、隣合う糸条片１１と糸条片１１が長さ方向に続く多くの部分で触れ合っている。このため糸条集合体１６に付与した水３３は、その表面張力で糸条片間に吸着保持され、その結果、糸条集合体１６の内部は、水分と酸素（空気）が混在し湿気を帯びた状態になる。陸地の植物の根は、水分のみならず酸素をも求めて成長する。殊に、鉢植えされた植物の根が、植木鉢の内壁沿い成長して緻密に網状に集まっているのを見れば、植木鉢の土壌に含まれる湿気が植木鉢の内壁に沿って流れ、その微かに生じる湿気の流が根の成長を促していることが分かる。この点、湿気が流れ易い細長い隙間２１が各糸条片１１に沿って糸条集合体全体（１６）に無数出来、植栽資材１６は、単に植物３１を差し込んで支える支盤としてだけではなく、その差し込んだ植物の成長をも促す植栽床や、その植物の鮮度を保って保存する保存床にも使用し得る。又、先端突出面１３に植えた種子は、糸条片１１に導かれ細長い隙間２１に沿って根３２を降ろすので、植栽資材１６は苗床としても使用される。
【００２１】
２０デニール前後の太さの繊維状部分と５μｍ前後の厚さのフイルム状部分とが幅方向に２ｍｍ前後の間隔で交互して続き、その繊維状部分が長さ方向に平行な畝筋３６を形成し、その畝筋間にフイルム状部分を溝筋３７を形成し、Ｔダイ押出成形時の繊維状部分とフイルム状部分との間の伸縮差による皺立ちを長さ方向に０．５〜２ｍｍ前後の間隔で細かく形成した幅１〜４０ｃｍのポリエステルフイルムやポリプロピレンフイルムを幅方向に折り畳み、幅方向に皺寄せし、或いは、幅方向に襞寄せして収束して構成され、荷造用紐や梱包基布（ドンゴロス）用経緯糸として一般市販の実質太さが０．５〜３．５ｍｍ前後で見掛け太さが１〜１０ｍｍ前後に膨らんだポリエステル製テープヤーンやポリプロピレン製テープヤーン（以下“折皺付きテープヤーン”と言う。）３９は糸条片１１に好適である。折皺付きテープヤーンを用いた植栽資材では、ポリエチレンやポリプロピレンが吸湿性を欠く非吸湿・非親水性素材であり、折皺付きテープヤーン３９の外面には折り目や折皺等の細かい凹凸があるので、そこに水が付着しても全面で密着し合い難く、植栽資材内部に密封状態の内部空隙が出来難い。而も、折皺付きテープヤーン３９が非吸湿・非親水性素材に成るので、付着した水はテープヤーンの長さ方向に移動し易い。特に、水は、毛細管現象によって折皺付きテープヤーン３９の有する折り目や折皺に沿って長さ方向に移動し易い。又、折り目や折皺によってテープの断面二次係数が増えるので、折り目や折皺のないテープに比して折皺付きテープヤーンは折れ曲がり難い。その結果、その折り目や折皺は植栽資材内部を真っ直ぐに突き抜ける貫通溝を構成する恰好になる。それ故、植栽資材は、透水性と通気性に富むものとなる。そのように透水性と通気性に富む植栽資材では、プタンター内部の水位が蒸発と給水によって昇降し易く、その内部水位の変動のポンプ作用に伴って植栽資材内部に酸素が供給され、植栽資材内部に酸素溶解度の少ない淀んだ水溜が出来難くなるので、植物の発芽、成長、保存に有効に作用する。
【００２２】
その水位変動による酸素補給作用を促すには、植栽資材１６を、上部開口９５を有する複数個の貯水容器９４に、その深さ方向に糸条片１１の長さ方向に合わせて収容し、貯水容器間を上部開口９５の下側で流通可能に連結し、その何れかの貯水容器を昇降させて、その昇降する貯水容器から水を他の貯水容器へと流出または他の貯水容器から流入させ、或いは、図４１に示す如く何れかの貯水容器に容積の大きい調製部材１５５を投入し、それを押し沈めて他の貯水容器へと流出または引き上げて他の貯水容器から水を流入させ、そうすることによって貯水容器内の水位５７を昇降させて、それらの貯水容器の中の空気を入れ替えを図るとよい。そのためには、貯水容器内部の水位変動箇所の断面積（Ａ）を上部開口の面積（Ｂ）以下にするとよく、デザインの都合上水位変動箇所の断面積（Ａ）を上部開口の面積（Ｂ）よりも広くせざるを得ない場合でも、水位変動箇所の断面積（Ａ）は上部開口の面積（Ｂ）３倍以上広くせず、好ましくは１．５倍以下にする。何故なら、貯水容器内部からの水の蒸発量が同じでも、水位変動箇所が広ければ、狭い場合に比して水位の落差が少なく、水面５７の昇降によって空気に触れる植栽資材１６の表面積が少なくなるためである。このように水位変動による植栽資材への酸素補給作用を考慮すれば、湿地適する植物や吸水量の多い植物以外の植物に使用する貯水容器は、その内面に植栽資材の側面が触れる程度の大きさにし、又、上部開口９５を有する透水性容器１０２に収容した植栽資材１６を、上部開口９５を有する貯水容器９４に収容する場合、透水性容器１０２が貯水容器９４に密着して内嵌するようにする。
【００２３】
種々の実験からして、プランター４０その他の容器に装填し、先端突出面１３を上に向けて使用する植栽資材１６では、糸条片１１の長さを５ｃｍ以上、好ましくは１０ｃｍ以上、更に好ましくは２０ｃｍ以上にすることが望ましい。何故なら、水中植物や水耕栽培の場合は別として、プランター４０に装填した植栽資材の先端突出面１３或いはその上に積層した地層表面１５から、プランターに注入した水３３の水位までの深さが５ｃｍ未満になると、水３３が蒸発してプランター内が乾燥状態になり易い。その蒸発の仕方は、植栽資材内部の糸条片の密度や土砂の充填量、植栽資材に植栽した植物の成長度合い、植物の種類や本数等にもよるが、植栽床の水位４１は炎天下にあって１日当たり５ｃｍ以上降下する場合が多い。このため、糸条片１１の長さが５ｃｍ未満の植栽資材では、その先端突出面１３に特別の蒸発防止層を積層する、糸条片の間にパルプ繊維等の保水材を充填する、植栽資材の下に特別の保水層４１を形成する、常時水位５７を監視し随時給水する等の特別の措置が必要となる。そして、糸条片１１の長さが５ｃｍ未満の植栽資材では、根３２の成長に有効な蒸気の流れる十分な長さの隙間２１が糸条片間１１・１１に確保し得ず、その結果、植栽資材１６は根が深く張らない植物の植栽に限られたものになり、又、植栽資材を切花支盤とする場合、余り背丈の高い切花では糸条片間に差し込んだ幹根３２を確り支え難くなる。
【００２４】
プランター４０の底部に取り付けた水位管理用ビニルパイプ４２の上端４３から、先端突出面１３を透過せずに、従って根元３２に触れることなく、プランターの底部に溜まるように液体肥料（鶏糞溶液）３３をプランター内に注入すると、液体肥料３３は糸条片１１に沿って下から上へと移動して根３２から徐々に吸収される。そのように肥料３３が直接根３２に触れることなく植栽床３４の下から上へと移行して徐々に根３２に吸収されるように、肥料成分（３３）を先端突出面１３から離れた位置に保持する上でも、糸条片１１の長さは５ｃｍ以上にすることが望まれる。このように先端突出面１３に直接触れることなく底部３５から湧出するように施肥すると、植栽床３４からの肥料の臭気も発生せず、植栽床３４の表面での害虫の産卵・孵化・発生の予防にもなり、その結果、動物糞や堆肥、骨粉等の害虫の餌ともなり、又、害虫の繁殖する温床にもなり易く、悪臭を発生しがちな天然肥料を使用した衛生的有機栽培が可能となる。
【００２５】
【水耕栽培への適用】
水よりも軽いポリプロピレン製の植栽資材をプランターに装填しただけの植栽床に溢れる程の水を注入すると、植栽資材は浮上して先端突出面がプランター上縁より突き上がる。その植栽資材の浮上を抑えるためには、先端突出面に土砂を投入し、植栽資材１６の先端突出面１３が水面上に浮き出るようにすれば、水位に応じて植栽資材１６が昇降するとしても、水面から先端突出面１３までの高さは常に一定に保たれ、その水面から浮き出た部分は常に一定の湿気を帯びた状態に保たれることになるので、水耕栽培に好ましい植栽床が出来上がる。このように植栽資材１６は水に浮く植栽床としても使用し得るので、池や沼、河川、港湾等でも未干拓で植栽可能となる。特に、臭気が公害問題となる汚水処理槽、溜池、どぶ、排水溝等に浮かせた植栽資材１６は、溜池や排水溝の蓋にもなるので、汚水処理槽、溜池、どぶ、排水溝等が美化され、公害問題も解消され、その上、草花や野菜も収穫される。
【００２６】
折皺付きテープヤーン３９の長さ方向に沿って形成された折り目や折皺は、毛細管現象による水３３の上昇を促し、先端突出面１３では糸条片１１の先端１２が突き出ていて外気との接触面積が大きく、糸条片１１が非吸湿・非親水性で水分が離れ易いポリプロピレン折皺付きテープヤーン３９に成るものでは、植栽資材１６の下の水３３は、植栽資材１６に汲み上げられるように先端突出面１３から蒸発し、植栽資材１６が汚水処理槽、溜池、どぶ、排水溝等での排水機能や乾燥機能をも発揮する。それ故、植栽資材１６は、埋立地や干拓地での乾燥手段としても有効である。
【００２７】
図５９に示す水耕栽培用装置は、発泡スチロール等の独立気泡を有する発泡体１４９を柵状カバー１５０で被覆した基盤５１に多数の貫通口１５２を開け、上部開口９５を有する容器にに植栽資材１６を挿填し、その先端突出面１３に土砂１４を堆積した植栽床３４を貫通口１５２に嵌め込んで構成され、先端突出面１３は水面５７の上に突き出るようになっている。透水性容器１０２は、プラスチック成形された剛直なものでもよいが、布帛その他の可撓なシートで袋状に形成された変形し易いものでもよい。
【００２８】
【苗床への適用】
植栽資材１６は苗床として使用する場合、種子が糸条片間の隙間２１に種子が深く落ち込まないように、先端突出面１３の上に天然土砂や人工土砂（以下、単に“土砂”と言う。）を積層しておくとよい。その積層した表面地層１５は、糸条片間の隙間２１からの蒸発を抑制する一方、土砂の一部が糸条片間に落ち込んで隙間２１を広げ、根３２を張り易くし、又、植栽資材内部１６で湿気を対流し易くし、根３２の成長を促進することにもなる。
【００２９】
苗床用植栽資材１６′は、発芽時に伸びる細い１本の根が入り込む程度の小さいものでよく、植栽資材１６の横断面積が最小となる部分における横断面の最小寸法を５〜３０ｍｍとし、糸条片１１の長さを１０〜１００ｍｍにするとよい。そのように小さくすると、図４２に示すように苗床用植栽資材１６′を単位として移植できる。苗床用植栽資材１６′は、毛筆や煙草や煙草のフイルターのように糸条片１１を束ね、図４３に示すように先端部を粘結性を有する土砂、例えば泥や壁土、水溶性糊剤等の水で分解ないし分離する水溶性粘結材１５３で仮接着し、又、図４４に示すように水溶性粘結材１５３によって糸条片間を仮接着し、或いは、それらの水溶性粘結材１５３によって植栽資材を固め、或いは又、図４５に示すように紙や水溶性フイルター等の水分解性皮膜材１１４によって植栽資材を包み込む等して種植時までに解けないようにする。
【００３０】
一般市販の苗１１７は、紙コップのように可撓なプラスチック鉢１５４に入れて販売されており（図６４）、そのような販売形態に対応して本発明を実施するには、プラスチック鉢１５４の鉢底１１５を一周する小孔１１６（ミシン目）を付け、図６２に示すように移植時には小孔１１６に沿って鉢底１１５を切取り、そのまま先端突出面１３に載せれば、植栽資材１６の中へと根が伸びる。しかし、糸条片１１の長さが容器９４の深さよりも２〜１０ｃｍ短く、糸条片の先端突出面１３が容器９４の上部開口９５の下方に沈み、その先端突出面１３の上に土砂１４が堆積され、その容器９４がプラスチック製の貯水容器であり、その先端突出面１３の下側の側面に透水孔１０４を有する植栽床３４では、図６０に示すように透水孔１０４を水槽の水面５７の下に沈めて植栽し、それを取り出して店頭に並べれば、図６１に図示するように透水孔１０４の下側に貯えられた水３３を苗１１７が吸い上げるので、店頭での取り扱いが楽になる。このようにプラスチック鉢に入れる苗の販売形態に対応して本発明を実施する場合、植栽資材１６は、糸条片１１の長さが５〜１０ｃｍ程度の比較的短いものであればよい。
【００３１】
【平板植栽床の形態】
図８〜１５に図示する植栽資材１６は、図６〜７に図示する植栽資材と同様に、パイル長が異常に長いパイル布帛の如き構造を成し、植栽床３４は、先端突出面１３を上に向けて、水を貯め得る容器（プランター４０・水槽２６）に植栽資材１６を装填して構成される。図１０に図示する植栽床を除き、糸条片の長さは２２ｃｍに揃えられており、植栽資材は糸条片の長さ相応の厚みになっている。図１０と図１５に示す植栽床を除き、先端突出面１３の上には一部糸条片の先端１２が露出する程度に土砂１４が積層され、隣合う糸条片の先端部分１２と先端部分１２の間の隙間は土砂１４に埋められ、植栽資材１６の表面部分は土砂１４と糸条片１１の先端部分１２とが混在する表面地層１５を形成しており、種は糸条片間の隙間２１を通って底部３５まで深く落ち込まない。図８は、その植栽床３４を水耕栽培に使用する場合を図示し、植栽資材１６の糸条片１１と基材３０には水よりも軽いポリプロピレン製折皺付きテープヤーン３９が使用されており、植栽資材１６は水中で浮上するように調製されている。植栽資材１６の厚み、即ち、基材３０から先端突出面１３までの糸条片１１の長さは、容器４０の深さよりも短くなっている。このため、植栽資材１６は容器４０に貯えられる水の水位に応じて昇降するが、水面５７から先端突出面１３までの高さは常に一定に保たれ、その結果、水面５７から浮き出た部分は常に一定の湿気を帯びた状態に保たれる。図９に図示する植栽資材１６には、パイプ４２が垂直に差し込まれ、そのパイプ４２には浮子５８が昇降自在に装填され、その浮子５８によって容器内４０の水位５７が確認される。パイプ４２の口先４３は植栽床の表面（１３）から突き出ており、そのパイプ４２の口先４３から注入した水３３や液体肥料は、容器４０の底部へと流れ込み、植栽床３４の底部全体３５に拡散し、糸条片１１に沿って徐々に先端突出面側１３へと移行する。
【００３２】
図１０〜１４は、水位管理手段を有するプランターを図示し、一般市販のプランター４０の底部の左右２個所に開けられた排水孔の中の一方の排水孔は止栓され、他方の排水孔には孔径よりも若干太めの軟質透明ビニルパイプ４２の一端が密着嵌合している。透明ビニルパイプ４２の口先４３がプランターの上縁に係脱自在に係止されるようになっており、パイプ４２が透明なのでプランター内部の水位が目視確認される。図１０と図１３に図示するプランター４０の上縁には差込孔５９が開けられており、その差込孔５９に差し込んでパイプ４２の口先を係止出来る。図１１に図示するプランター４０では、パイプ差込溝６０を有する止め具がプランターの上縁に取り付けられ、その差込溝６０にパイプ４２の口先４３を差し込んで係止出来る。図１２に図示するプランター４０では、上縁のフランジに細長い矩形の開口が開けられ、その開口に嵌め込んだ細長い漏斗６２の排水口６１にパイプ４２の口先を嵌めて係止出来る。このようにパイプ４２の上端に漏斗６２を装着すると、パイプ４２を通してプランター４０の底部に水３３や肥料が注入し易くなる。図１４に図示するプランター４０では、パイプ４２の口先にフック６３が取り付けられており、それをプランター４０の上縁に引っ掛けて係止する。図１０は、肥料貯蔵容器を兼ねて調製された植栽床３４を図示している。プランター内４０は、４枚のネット状有孔仕切板６４によって上下５段に仕切られている。植栽資材１６は、上から２段目のスペースに装填され、その上には土砂による厚さ２ｃｍ前後の地層１５が積層されている。植栽資材を支える仕切板の下側は保水層４１になっている。上から３段目と４段目のスペースには、テープヤーンの破片を混ぜ込んで垂れ落ち難く調製した動物糞を主材とする肥料６５が貯えられており、パイプ４２を倒して肥料６５を液体肥料として汲み出すことが出来る。６６はスペーサーである。図１５は、植栽資材１６の広い花壇への応用例を図示するものであり、そこではスペーサー６７に載せて階段状に高さを変えて配置した水槽２６に植栽資材１６が装填されている。各水槽２６には、その基準水位の位置に排水パイプ６８が取り付けられている。この排水パイプ６８の口先は下段の水槽２６の上に突き出ており、排水パイプ６８は下段の水槽２６に水を注ぐ給水パイプを兼ねている。６９は、最上段の水槽２６に給水する給水パイプである。植栽資材１６の上には土砂１４が積層されており、その地層１５は水槽２６の高さに応じた起伏のある築山（３４）を形成している。
【００３３】
図３０に図示するプランター４０は、上部開口９５を有する容器本体９４と、その上部開口９５に嵌め合わされる蓋体９６とによって構成されている。プタンター４０には、糸条片１１を寄せ集めた植栽資材１６が装填されている。蓋体９６は容器本体の底部９７に向けて陥没した窪み９８を有し、その窪み９８の底部に陥没開口９９が容器本体の底部９７に向けて開けられており、その陥没開口９６に植栽資材１６が底面９３を容器本体の内部１００に向けて差し込まれ、植栽資材１６の先端突出面１３が陥没開口９６から突き出ている。蓋体９６を外せば、容器本体９４に貯えられている水３０を入れ替えたり、容器本体の内部１００に肥料を入れることが出来、その際、植物３１と植栽資材１６は蓋体９６と共に取り外されるので、肥料が植物の根元に直接触れない。そして大雨時に窪み９８から多量の雨水が流れ込んでも、その容器本体内部１００の水位が開口９５に達すれば、そこから流出するので、植物３１が根元まで冠水しない。窪み９８には粒体（土砂）１４が充填されており、植物３１の根元は常にアルカリ性土質におかれる。
【００３４】
図３１に図示するプランター４０は、内部容器１０２と外部容器１０１とで構成され、内部容器１０２は外部容器１０１に収められている。長さ方向を同じ方向に揃えて多数の糸条片１１を寄せ集めた糸条集合体として構成された植栽資材１６は、内部容器１０２に装填されており、内部容器１０２と共に外部容器１０１から取り外して交換し得る。内部容器の内部は糸条片１１の長さよりも深く、糸条片１１の長さ方向を容器１０２の深さ方向に向けて植栽資材１６が装填され、容器１０２の深さと糸条片１１の長さとの差に応じた上部窪み１０３が容器の上側部分に形成され、その上部窪み１０３の底部は植栽資材１６の先端突出面１３で構成される。窪み９８には粒体（土砂）１４が充填されており、植物３１は、根を土砂１４に分散されるように四方に伸ばしてから植栽資材１６に根を降ろし、根元は常にアルカリ性土質におかれる。１０７は、外部容器１０１の開口を塞いで害虫の侵入を防ぐカバーであり、格子状の支持枠材の上に金網や布帛などの表面材を載せて構成され、カバー１０７を通って水分や空気が外部容器の中に出入りする。カバー１０７には内部容器を嵌め込む開口１０８が設けられており、内部容器は開口１０８に内嵌して倒れないようにカバー１０７に支えられる。植栽資材１６が装填された内部容器の下側部分には透水孔１０４が開けられており、内部容器内の水が植物３１に吸い上げられると、外部容器内の水３０が自動供給される。外部容器１０１には、上部窪み１０３の底部（１３）と同じレベルに排水孔１０６が開けられており、大雨時に外部容器１０１に多量の雨水が流れ込んでも、その水位が上部窪み１０３の底部（１３）と同じレベルに達すれば排水孔１０６から流出し、植物３１の根元まで冠水しない。
【００３５】
【自動給水方式の適用】
給水を自動化して集中管理するには、多数の糸条片１１を長さ方向を揃えて寄せ集めた植栽資材１６を、上部開口９５を有する複数個の貯水容器９４に、その深さ方向に糸条片１１の長さ方向に合わせて収容し、貯水容器間を、上部開口９５の下側で流通可能に連結するとよい。そうすると、図３２に示すように屋上や道路等の非透水性基盤１１８に並べた貯水容器９４を給排水パイプ１１９で繋ぎ、その並べだ貯水容器間に土砂等の充填材を入れ、上部開口９５が地表１２０に現われるように整地し、給排水パイプ１１９に繋がれる一つの貯水容器を排水口や給水口１２１を取り付けると屋上や道路等の広大な場所でも簡便に緑化出来る。その場合、図３３に示すように植栽資材１６を深さ方向に糸条片の長さ方向を合わせて収容した上部開口９５を有する透水性容器１０２を、上部開口９５を有する貯水容器９４に、その深さ方向に糸条片の長さ方向を合わせて収容すれば、広大な場所でも一夜の中に植物３１の植え換え（交換）が可能となる。
【００３６】
植物３１が樹木のように高重量のときは、その重量に耐えるように貯水容器９４を補強すると共に、先端突出面１３を貯水容器の上部開口９５まで突き出し、図３４に示すように植木鉢１２２と共に植物を貯水容器に載せるとよい。透水性容器１０２は、布帛その他の可撓なシートで作られた袋でもよいことは前述の通りであるが、織物で作るときは織物を袋織（風通織組織）で筒状に織成し、編物で作るときは丸編機で筒状に編成するとよい。草花のように小さく軽いものに使用する場合には、透水孔を開けたプラスチックフイルム製袋や、果物包装に使用されているプラスチック製ネットも透水性容器１０２として使用し得る。貯水容器９４を給排水パイプ１１９で連結して植栽床を壁掛け式にするときは、図３５に示すように給排水パイプ１１９の一部に水の注ぎ口を設けるとよい。給排水パイプ１１９は、複数個の貯水容器９４と９４の間で一直線状に連続させると、異物が詰まった場合でも清掃し易くなる。給排水パイプと貯水容器の間や給排水パイプ間は中継パイプ１２３で連結してもよく、給排水パイプが長大になるときは清掃用の汲取口１２４を所々に設ける。植栽床３４を天井や藤棚等への吊下式にするときは、一個の貯水容器９４Ａを中心に複数個の貯水容器９４Ｂ・９４Ｂ・９４Ｂ………を放射状に連結すればよく、これに照明灯を付設すれば図４８に示すようにシャンデリア風の植栽床が出来上がる。
【００３７】
図４６と４７は、既存のプランター４０への応用例を図示し、上部が開口部１２５となっている筐体１２６の内部に、上部開口９５を有する複数個の貯水容器９４を配置し、それらの上部開口９５の下側で貯水容器間が流通可能に連結されている。このように複数個の貯水容器９４を給排水パイプ１１９で連結して使用する場合、複数個の中の何れかの貯水容器９４の空洞内部に排水パイプ６８が突き出すと、その排水パイプ６８の口先１２８を押し下げたり引き上げたりして、全貯水容器内の水位を口先１２８のレベルに合わせて自由に設定出来る。そのためには、排水パイプ６８には蛇管、ゴムパイプ、ビニールパイプ等の可撓で伸縮自在なものを用いる。
【００３８】
図４０に示すように市販プランター４０の内部から排水口１２７に排水パイプ６８の一端を差し込み、他端をプランター４０の内部に高く突き出すと、排水口１２７は排水パイプ６８で塞がれ、内部の水は排水パイプ６８の口先１２８からだけ流出可能となるから、市販プランターを使用しても本発明を実施し得る。プランター内部に突き出た排水パイプ６８の周りを筒状カバー１２９で囲めば、筒状カバー１２９の中に肥料を投入して全ての植物に与えることが出来る。
【００３９】
前述の先端突出面の植えに土砂を堆積した植栽床の実施例、特に図３４に示す実施例により明らかな如く、その堆積した土砂槽（１４）と植栽資材１６の分離状態を想定すれば、土砂１４を堆積しない状態の植栽床は、在来の植木鉢１２２の水受け１３０に使用し得ることが理解されよう。しかし、図３４に示す実施例においても説明した通り、植木鉢１２２の全重量が植栽資材１６に直接加わるときは糸状片１１が押し倒れてしまい、植栽資材１６としての効用が損なわれる。そこで、植栽資材１６を水受け１３０に使用する場合は、植栽床３４の糸条片１１と糸条片１１の間に、容器９４に支持される補強材を設ける。図３６〜３９は、その具体例を図示し、図３６に図示する水受け１３０では、貯水容器９４の底面から突き出た多数の支柱１３１の間に植栽資材１６が填め込まれており、支柱１３１の先端が植木鉢を支える。図３７と図３８に示す水受け１３０では、貯水容器９４の上部開口の周縁に内嵌して支えられる格子目１３２のある柵状蓋７８が植木鉢１２２を支えるようになっており、図３７に示す柵状蓋７８からは多数の脚１３３が突き出ており、柵状蓋７８に加わる植木鉢の重量はそれらの脚１３３に分散される。図３９に示す水受け１３０では、筒１３４に挿入した植栽資材１６が貯水容器９４に填め込まれており、植木鉢は筒１３４に支えられる。
【００４０】
【立体植栽床への適用】
図１〜図７は、柱形に構成された植栽資材を図示するものである。柱形植栽床３４は、周面に所要の間隔で多数の開口４７を開けた円筒２５に植栽資材１６を装填して構成される。図１と図２に図示する柱形植栽床では、給水管４４を囲むようにテープヤーン３９が引き揃えられており、土砂１４と共に円筒内に引き込まれ、テープヤーンの間に土砂が挟み込まれている。柱形植栽床３４は基台４５に垂直に支えられている。テープヤーン３９と給水管４４の上端は円筒管２５の上端よりも低い位置にあり、柱形植栽床の上端は円筒の上縁で囲まれた水受４６になっており、先端突出面１３が水受４６の底部を形成している。給水管４４の上端からの湧水３３は、先端突出面１３から植栽資材に浸透し、テープヤーン３９に沿って徐々に垂れ落ちる。水受４６から溢れ出る水３３は、円筒２５の外周面を伝って垂れ落ち、下端に達する過程で周面の開口４７から円筒内部に流入する。開口４７は上向き加減に開けられており、開口４７の周縁は円筒内部から円筒外部に向けて上向きに傾斜した斜面４８になっており、水３３が斜面４８に沿って円筒内部に導かれる。開口４８には植物３１が植栽されており、円筒の外周面は植物３１で覆われている。図３は、給水管を差し込まずにテープヤーンを土砂と共に円筒に引き込んだ多数の柱形植栽床３４を基台４５に垂直に支え構成された立体花壇４９を図示する。柱形植栽床３４の上端は、支持フレームに係止されている。支持フレームは給水管で構成されており、その給水管から円筒内に給水される水は、内部のテープヤーンに沿って垂れ流れる。図４は、図３に図示する柱形植栽床の要部切截斜視図である。
【００４１】
図１〜図４に図示する植栽資材１６が、平行に並べて寄せ集めた糸条片（テープヤーン）を円筒内に納めた糸条集合体として構成されているのに対し、図５〜図７に図示する植栽資材１６では、糸条片の基材３０に係止して構成され、先端突出面１３は円筒２５の軸芯方向に平行になっている。図５に図示する植栽資材１６は、同じ長さの各糸条片１１の一端を軸材２０に係止して構成され、糸条片１１は軸材２０を中心に放射状に並んでおり、軸材２０の周囲は糸条片１１で覆われている。このような植栽資材１６は、モールヤーンの製造技法によって製造される。図５に図示する柱形植栽床３４は、図１〜図４に図示する円筒と同様に開口４７を有し、糸条片１１の長さと略同じ直径の円筒２５に植栽資材１６を内嵌させて構成され、その円筒２５に装填された状態において、糸条片１１は軸材２０に対し傾斜している。図６に図示する植栽資材１６は、パイル長が異常に長いパイル布帛の如き構造を成し、同じ長さの糸条片１１の一端を基材３０に係止して構成されている。柱形植栽床３４は、帯状に裁断した植栽資材１６を内周の長さが植栽資材１６の幅と略同じの円筒２５に樋状に丸めて差し込んで構成される。円筒２５の周面には開口４７が一直線上に並んで開けられており、樋状に丸めて差し込んだ帯状植栽資材１６の合せ目５２は、開口４７の内側に重なっている。この柱形植栽床３４は、円筒２５を横向け（水平）にし、開口４７を上に向け、その開口４７に植栽して使用される。図７は、その横向けにした柱形植栽床３４の使用状態を図示するものであり、円筒２５の両端にはＴ字形継ぎ管５３が嵌合しており、その継ぎ管５３の下側開口は蓋材５４で閉じられ、その上側開口５５は水を注ぐ注入口となっており、そこから注入された水３３が円筒内部２５に貯えられる。円筒２５の外周面は、直射日光によって植栽床内部３４が極度に昇温しないよう人工芝生５６で被覆・装飾されている。
【００４２】
【立体花壇の自然自動給排水】
図４０と図４６に示すように、貯水容器９４の上部開口９５の下側で流通可能に給排水パイプ１１９を介して給排水容器９４′に連結し、給排水容器９４′の排水口１２７を、給排水パイプ１１９のレベルと上部開口９５のレベルの間まで給排水容器９４′の空洞内部に向けて突き出すと、図４９〜５８に示すように、給排水が自動化された立体花壇が出来上がる。即ち、図４９〜５８に示す立体花壇４９は、植栽資材１６を収容した複数個の貯水容器９４が、上部開口９５の下側で給排水パイプ１１９によって流通可能に連結し、その一部の貯水容器９４′を給排水容器とし、その給排水容器９４′の排水口を、給排水パイプ１１９のレベルと上部開口９５のレベルの間まで容器の空洞内部に上向きに突き出した多数の植栽床３４を上下数段に配置して構成されている。図４９〜５４に示す立体花壇４９では、各段の植栽床３４の給排水パイプ１１９の両端を後枠１３５で支え、それらの貯水容器９４の先端部分を前枠１３６に囲まれる斜格子枠の各格子目１３７で支え、上段の排水パイプ６８を下段の貯水容器９４に直接または下段の給排水パイプ１１９を介して接続しており、上段の貯水容器内の水位が排水パイプ６８の口先１２８に達すると、給水管１２１から過剰に供給された水は、順次上段の排水パイプの口先１２８から溢れて下段の貯水容器９４に供給される。そのようにして最下段の貯水容器内の水位が排水パイプの口先１２８に達すると、その排水パイプ６８から排水管１３８に排出される。
【００４３】
図５５〜５８に示す立体花壇４９では、枠３９に囲まれ、その上下の横枠１４０・１４０に支えられる支管１４１の間を繋ぐ連結管１４２で各段の貯水容器９４が支えられる。支管１４１の間は上下２本一対の連結管１４２と１４３で繋がれ、各段の貯水容器の間を流通可能に連結する給排水パイプ１１９は、各段の貯水容器９４を支える連結管１４２と対をなす下側連結管１４３と、その下段の貯水容器９４を支える上側連結管１４２と、それら上下の連結管１４２と１４３を結ぶ支管１４１の一部１４４によって波形状に上下ジグザグに構成され、その上下の連結管１４２と１４３を結ぶ支管の一部１４４では、その上下各段の一対の上側連結管１４２を下側連結管１４３の間にパッキン１４５が填め込まれており、それら各一対の上側連結管１４２と下側連結管１４３の間はパッキン１４５によって仕切られている（図５７・ｃ）。但し、最上級の上側連結管１４２ａは、その上に貯水容器がないので給排水パイプの一部を構成せず、ただ付飾的に支管の間を繋ぐものでよく、その上側連結管１４２ａと下側連結管１４３ａの間で支管１４１をパッキンで仕切る必要はない（図５７・ｂ）。又、最下段の下側連結管１４３ｃは、その下に貯水容器がないので支管１４１・１４１を一直線に結ぶものでもよく、最下段の給排水パイプ１１９ｃは真っ直ぐに連続させることが出来る（図５７・ｅ）。左右両端の支管１４１ａと１４１ｂは、その外側に貯水容器がないので、給排水パイプの一部に利用する必要はなく、それら左右両端の支管１４１ａと１４１ｂに支えられる連結管１４２・１４３の先端はパッキン１４５で塞がれる（図５７・ｂとｆ）。最下段の給排水パイプ１１９ｃ（１４３ｃ）の下側には、給水管と排水管１３８が設けられ、最上段の貯水容器９４ａの上側には給水管４４の分管１４６が設けられ、左右両端の支管１４１ａと１４１ｂの上下両端はパッキン１４５で塞がれ、その一方の端部支管１４１ａは給水管４４と分管１４６を結ぶ連結管となっており、給水管４４の端部支管内部１４１ａに現われる部分には通水孔１４７が開けられている（図５７・ｄ）。分管１４６の中央部には上段の中央の貯水容器９４ａ′に向けて給水口１２１が設けられている。各段の中央の貯水容器９４ａ′・９４ｂ′・９４ｃ′には、その内部の口先１２８を突き出た排水パイプ６８が設けられており、最上段と中段の排水パイプの下端は、その下段の中央の貯水容器に向けられており（図５６）、最下段の排水パイプ６８ｃの下端は排水管１３８へと接続されている（図５７・ｅ）。
【００４４】
図５８は、図５５〜５７に示す立体花壇４９に組み込まれた給排水経路を示すものであり、給水口１２１から供給される水が最上段の貯水容器９４ａの所定の水位に達すると、中央の貯水容器９４ａ′の排水パイプ６８ａの口先から溢れた水は中段の貯水容器９４ｂ′に送られ、その中段の貯水容器９４ｂが所定の水位に達すると、中央の貯水容器９４ｂ′の排水パイプ６８ｂ′の口先から溢れた水は最下段の貯水容器９４ｃに送られ、最下段の貯水容器９４ｃが所定の水位に達すると、排水パイプ６８ｃの口先から溢れた水は排水管１３８へと排出され、このように各段の水位は排水パイプ６８の口先１２８のレベルを変えて適宜設定される。従って、分管１４６を給水口１２１で仕切ると共に、通水孔１４７の開けられていない一方の端部支管１４１ｂを最下段の給排水パイプ１１９ｃ（１４３ｃ）に開放し、その内部に最下段の水位を検出するセンサーを組み込み、そのセンサーの検出する水位検出信号１４８で給水口１２１を開閉すれば、全ての貯水容器内の水は所定の水位に自動的に保たれることになる。その場合、水位変動による植栽資材への酸素補給作用を考慮し、最低水位に達してから一定時間をおいて最高水位に達するように、給水口１２１を間欠的に開閉するとよい。
【００４５】
図５５〜５８に示す立体花壇の植栽装置の給排水パイプを、図４９〜５４に示す立体花壇の植栽装置の給排水パイプと同様に真っ直ぐにするには、図６５〜６６に示すように、平行に並らんだ各支管１４１に、貯水容器９４の高さと略同じ間隔で上下に配置した各段の真っ直ぐな給排水パイプ１１９をクランプ１５６で接合し、Ｌ字形の中継パイプ６８を口先を上に向けて給排水パイプ１１９に突設し、貯水容器９４を中継パイプ６８に載せ、中継パイプ６８の口先を貯水容器９４の底面の差込孔に嵌め、先端がフック状に下向きに曲がったＵ字形のクリップ１５７に貯水容器９４の上部を嵌め、その下向きに曲がったクリップ１５７を上段の給排水パイプ１１９に引っ掛ける。そのようにすると、図５５〜５８に示す立体花壇の植栽装置のように、支管１４１に孔を開けて連結管１４２・１４３を接合する手間や支管１４１にパッキン１４５を装填する手間が省け、異物が詰まったときに給排水パイプ１１９が清掃し易く、植物の成育に必要な広い空間を貯水容器９４の上側に設けられた立体花壇用植栽装置が簡便に得られる。尚、図４９〜５８に示す立体花壇では、複数個の貯水容器９４を横に一直線状に並べた多数の植栽床３４を垂直に上下数段に配置されているが、貯水容器９４は横に曲線状に並べることも出来、又、植栽床３４を上下に曲線状や斜めに配置することも出来、そうすることによって土手や道路の法面その他の広大な斜面も簡便に緑化出来る。又、給排水パイプ１１９によって複数個の貯水容器９４を連ね、それらの貯水容器９４の底部から給排水する植栽床３４や立体花壇４９から植栽資材１６を除外した装置は、その貯水容器９４に鹿沼土や軽石等の多孔質材料を植栽資材に代えて装填し、植栽装置として使用することも出来る。
【００４６】
【植栽資材の一般的製法】
図８〜図１５に図示する植栽資材は、パイル長が異常に長いパイル布帛の如き構造を成し、そのような植栽資材は、手織緞通の製造技法に準じて製造し得る。図１６〜１９は、一般的パイル布帛の製造技法に準じて製造される植栽資材１６の構造を具体的に示すものであり、その構造によって植栽資材の自動的量産が可能になる。図１６に示す植栽資材１６は、太く長い編針を粗いゲージで配置した経編機において、パイル糸に代わる荷造用折皺付きテープヤーン３９を地編地に編み込み、長大なパイルとしての糸条片１１を地編地から突き出した恰好になっている。植栽資材全体は椅子張地として使用される通常の経編パイル布帛を拡大した恰好になる。７０は地経糸、７１は挿入糸である。地編地３０は地経糸７０によって編成される鎖編目に挿入糸７１を係止させて編成されている。その編成過程で糸条片１１は、地経糸７０によって編成される鎖編目に編み込まれ、その鎖編目によって地編地３０に係止される。図１７に示す植栽資材１６は、筬羽の間隔を粗くしたパイル織機において、荷造用折皺付きテープヤーン３９がパイル糸として地織地３０に織り込んで織成されている。地織地３０は地経糸７２と地緯糸７３によって平織組織で織成され、糸条片１１の根元３５はＷ字状に曲折して地緯糸７３に絡合し係止されている。この植栽資材全体は、椅子張地として使用される織パイル布帛（モケット）を拡大した恰好になる。図１８に示す植栽資材は、太く長いニードル７６を粗く配置したタフテッド機によって作られている。荷造用折皺付きテープヤーン３９は、パイル糸として基布３０に差し込まれ、そのループ状に突き出たテープヤーン３９をルーパー７４で係止し、それをルーパー７４とナイフ７５でカットして作られる。植栽資材全体は一般市販のタフテッドカーペットを拡大した恰好になる。図１９に示す植栽資材は、ボンデッド・カーペットの製造技法に準じて作られている。荷造用折皺付きテープヤーン３９は、パイル糸としてＵ字状に折り曲げられ、基布３０に塗布された接着剤の塗布層７７に植設されている。
【００４７】
【植栽資材の簡便な製法】
図２０〜２６は、格別な技術手段を要せず、簡便に作られた植栽資材を図示する。図２０に図示する植栽資材は、テープヤーンの束を所定の長さに裁断して糸条片束７９とし、それを集めて篭２４その他の網目で囲まれた柵状容器に填め込んで構成されている。この方法では、鋏さえあれば植栽資材が出来る。図２０では、容器２４の上部開口を柵状蓋７８で閉じるように図示しているが、その柵状蓋７８は、この柵状容器２４を用いた植栽資材を、公園その他の場所に広く並べて植栽床を形成する場合、糸条片が踏み倒されたままにならないように保護するものであり、植栽資材の必須部材にはならない。この容器２４に硬く強いものを用いれば、図２１に図示する如く、それを広大な水槽２６に敷き詰めると広大な植栽床３４が出来上がる。図２２は、コンクリートブロック２７の開口部に糸条片束７９を填め込んで構成される植栽資材１６を図示している。このコンクリートブロック２７を図２１に図示する広大な水槽２６に敷き詰めれば、踏み歩ける植栽床３４が出来る。このような糸条片束７９は、広幅プラスチックフイルム１８の製造工程において、Ｔダイ押出成形機から押し出される広幅プラスチックフイルム１８をカッター付ガイドバー８８に通して複数本のテープヤーン１９に分割し、或いは、テープヤーン１９の製造工程においてカッター付ガイドバー８８に通して広幅プラスチックフイルム１８を複数本のテープヤーン１９に分割し、その分割された複数本のテープヤーン１９を収束し、引出ロール８９で引出しつつ所要の長さに裁断して作られる。図２３と図２６は、糸条片束７９が解けないように結束する方法を図示し、予め筒状ネット袋２３を外嵌・装着した管８０に糸条片束７９を引き込み、引出治具９０によって筒状ネット袋２３と糸条片束７９を管８０から引き出しつつ所要の長さに裁断すれば、筒状ネット袋２３に包まれて解れない糸条片束７９が得られる。
【００４８】
又、管８０から引き出される糸条片束７９をヒートカッター（発熱電線）８１で裁断するか、又は、裁断口を加熱すると、その裁断口に現われる糸条片１１の端末相互間が融着し、裁断口での解れも防せげることになる。そのように加熱された糸条片１１の端末には溶融塊８２が出来るので、そこに接着剤２９を塗着すれば、溶融塊８２によるアンカリング効果が生じ、裁断口が容易には解れない糸条片束７９が出来上がる。このように裁断口に解れ止めを施した糸条片束７９は、カッター９１で二等分し、その裁断口を先端突出面１３として使用する。ポリプロピレンのように低比重のプラスチックテープヤーン１９やフイルム１８を用いた糸条片束７９では、植栽資材の底部になる糸条片束の収束部（２９）に重い筒状リング８３を嵌め、或いは、セメントその他の高比重の接着剤２９を塗着すれば、水中で浮き上がらない植栽資材１６が得られる。
【００４９】
図２４は、解けないように糸条片束７９を結束する他の方法を図示し、糸条片束７９は、糸条片１１となる折皺付きテープヤーン３９を緯糸（又は経糸）に用い、それに交叉する経糸８４（又は緯糸）の間隔を粗くして織成または編成した布帛８５を、テープヤーン３９の長さ方向を巻芯方向に向けて巻き上げ、所要の長さに裁断して作られる。この方法によると、折皺付きテープヤーン３９に直交する経糸８４（又は緯糸）で糸条片１１が束ねられ、糸条片束７９は解れ難くなる。図２４に示す糸条片束７９は、糸条片と糸条片を糸で接合しているが、織物を経糸や緯糸のように平行に並べられた糸条片に直交させて熱融着性樹脂やテープを重ね、その熱融着性樹脂やテープを介して糸条片間を接合してもよい。糸条片束７９として作られた植栽資材１６は、図１〜図７に示す円筒２５や、図８〜図１５に示すプランター４０や、図２０に示す柵条容器２４や、図２２に示すコンクリートブロック２７に装填して使用され、図２７に示すように非透湿性袋に入れた種子８６と共にコップや罐等の鉢２８に糸条片束７９を装填し、蓋８７を閉めてコンパクトな植栽床３４とすると、植栽資材たる糸条片束７９がが毛房状になっていて美しく、種子が確実に発芽し、衛生的で、贈答品としての商品価値のある植栽床３４が得られる。図２５は、先に説明した折皺付きテープヤーン２９の拡大斜視図である。
【００５０】
図２８と図２９は、糸条片束７９が解けないように簡便に結束する他の方法を図示するものである。長さ方向を同じ方向に揃えて多数の糸条１９は、向き合う一対のガイドリング１１１・１１２に通して束ねられ、それら一対のガイドリング１１１とガイドリング１１２の間を移動するヒートカッター８１で裁断される。そのとき、裁断口１０９はガイドリング１１１・１１２の開口の周縁に包囲されているので、裁断口１０９に出来る糸条１９の溶融物９２は、裁断口１０９から食み出ることなく、その裁断口１０９で隣合う糸条片１１と糸条片１１の間に溜まり、その溶融物９２によって隣合う糸条片１１と糸条片１１が接合される。その結果、糸条片１１と糸条片１１を接合させるのに接着剤を必要とせず、糸条片１１の溶融物９２を介して糸条片１１と糸条片１１が融着し、その溶融物９２によって底面９３が構成された植栽資材１６が得られる。こうして作られた糸条片束７９を、左右の裁断口１０９と１０９の間で刃先がギザギザした鋸１１０等の裁断用具で裁断すると、糸条片１１が刃先に引っ掻けられて縦割れ（フィブリル化）し、その先端が細かく毛羽立ち、先端突出面１３が細かい毛羽１１３で覆われた植栽資材１６が得られる。
【００５１】
このことは図４２に示すように、植栽資材１６と１６′を上下２段に重ねて使用した結果分かったことであるが、植物の根は下段の植栽資材１６の側面から入り込んで成長しており、そのように重ねて使用する場合、下段の植栽資材１６は必ずしも先端部を毛羽立てる必要はなく、従って、土砂１４を堆積する場合は、ヒートカッター８１で裁断し、両端が溶融物９２によって融着した状態の糸条集合体も植栽資材１６として使用することが出来る。
【００５２】
植栽資材１６は、その製法如何にかかわらず、その底面９３の最大寸法が１０ｃｍ以下になるように調製するとよい。従って、図１６〜図１９に図示する如く、パイル布帛の製法に準じて作られた広幅の植栽資材１６では、それを裁断して底面９３の最大寸法が１０ｃｍ以下になるように調製するとよい。それは、植栽資材１６が小さければ、図２１に図示する如く篭２４に多数装填し、或いは、図３０や図３１に図示されるプランター４０に所要の数本だけ装填して使用出来、その装填する数に応じて植栽床３４における糸条片１１の密度を植物３１の種類に応じて加減することが出来るだけでなく、使用後に植栽資材１６に残存する根を洗浄除去し易くなるからである。これらの点を考慮し、植栽資材１６の底面９３の最大寸法は、植栽資材１６が手で握れる程度の太さ５ｃｍ以下、好ましくは２〜４ｃｍにすることが望まれる。
【００５３】
【植栽実験】
種が糸条片間に落ち込まない程度（２０ｃｍ2 に付きスプーン１杯）に植栽資材の先端突出面に土砂を入れて調整した植栽床３４に、チャイブ（あさつき葱）、小葱、ケール（青汁用緑葉キャベツ）、胡瓜、真桑瓜、小松菜、時無五寸人参、青紫蘇、パセリ、クレソン（ハーブ）、コウサイ（ハーブ）、サマーサボリ（ハーブ）、ラベンダー（ハーブ）、ローズマリー（ハーブ）、カーネーション、ビオラ、パンジー、ペチュニア、ミニシクラメン、ロベリア、バーベナ、紅花、松葉牡丹、紫花菜、勿忘草の各種を植え、それぞれ発芽・開花・収穫を見た。又、植栽床３４の糸条片間に、トマトと茄子の各苗を割り込ませて植栽し、開花、収穫を見た。又、止栓したプランターに植栽資材を詰め込んで調整した植栽床３４の糸条片間に、ベコニア、折鶴蘭、サフィニア、タピアン、小手鞠、芝桜の各切花を差し込み、それぞれ発根・開花を見た。種蒔きして発芽・開花・収穫を見たペチュニアと松葉牡丹は、翌年３月、ペチュニアについては新たに発芽・開花を見、松葉牡丹については新たに発芽を見た。越冬した松葉牡丹は、前年の幹は枯死したものの、根は太く膨らんで人参の形をしており、前年の根元に新たな発芽を見た。更に、本発明の植栽床３４に杜若の苗を載せておくと成長して開花し、その翌年３月に新たな発芽・成長を見た。これらの植栽実験を通して、本発明の植栽床３４が全ての植物の栽培に適することが実証された。
【００５４】
【発明の効果】
よって明らかな如く本発明の植栽床３４は、全ての植物の栽培に適し、切花支盤、挿木支盤、苗床、植栽床、野菜保存床、水耕栽培、汚水処理槽その他の水溜の蓋材、埋立地や干拓地の乾燥手段として好適な植栽資材が簡便に得られ、高層住宅その他の一般家庭等において手軽に植栽し、自然を楽しみつつ新鮮な野菜が得られ、都会を緑化し日常生活を豊かにする等、本発明の利とするところ多大である。
【図面の簡単な説明】
【図１】  本発明に係る植栽床の斜視図である。
【図２】  図１に図示する植栽床の要部断面図である。
【図３】  本発明に係る植栽床の斜視図である。
【図４】  図３に図示する植栽床の一部切截斜視図である。
【図５】  本発明に係る植栽床の一部切截斜視図である。
【図６】  本発明に係る植栽床の一部切截斜視図である。
【図７】  本発明に係る植栽床の一部を丸で囲んで示す正面図である。
【図８】  本発明に係る植栽床の断面正面図である。
【図９】  本発明に係る植栽床の断面正面図である。
【図１０】  本発明に係る植栽床の断面正面図である。
【図１１】  本発明に係る植栽資材装填用容器の要部斜視図である。
【図１２】  本発明に係る植栽資材装填用容器の要部斜視図である。
【図１３】  本発明に係る植栽床の一部切截斜視図である。
【図１４】  本発明に係る植栽床の斜視図である。
【図１５】  本発明に係る植栽床の断面正面図である。
【図１６】  本発明に係る植栽資材の斜視図である。
【図１７】  本発明に係る植栽資材の斜視図である。
【図１８】  本発明に係る植栽資材の断面正面図である。
【図１９】  本発明に係る植栽資材の断面正面図である。
【図２０】  本発明に係る植栽資材の組立手順を示す斜視図である。
【図２１】  本発明に係る植栽床の組立手順を示す斜視図である。
【図２２】  本発明に係る植栽資材の組立手順を示す斜視図である。
【図２３】  本発明に係る植栽資材の一部を丸で囲んで示す斜視図である。
【図２４】  本発明に係る植栽資材の分解斜視図である。
【図２５】  本発明に係る植栽資材を構成する糸条片の要部斜視図である。
【図２６】  本発明に係る植栽資材の製造工程における斜視図である。
【図２７】  本発明に係る植栽床の組立手順を示す一部切截斜視図である。
【図２８】  本発明に係る植栽資材の製造工程における斜視図である。
【図２９】  本発明に係る植栽資材の断面正面図であり、一部を円Ａと円Ｂで丸く囲んで拡大して図示している。
【図３０】  本発明に係る植栽床の断面正面図である。
【図３１】  本発明に係る植栽床の断面正面図である。
【図３２】  本発明に係る植栽床の設置された広場の斜視図である。
【図３３】  本発明に係る植栽床の断面図である。
【図３４】  本発明に係る植栽床の断面図である。
【図３５】  本発明に係る植栽床の一部を丸く囲んで図示する斜視図である。
【図３６】  本発明に係る水受けの一部切截斜視図である。
【図３７】  本発明に係る水受けの一部切截斜視図である。
【図３８】  本発明に係る水受けの一部切截斜視図である。
【図３９】  本発明に係る水受けの一部切截斜視図である。
【図４０】  本発明に係る植栽床の一部切截斜視図である。
【図４１】  本発明に係る植栽床の断面図である。
【図４２】  本発明に係る植栽床の断面図である。
【図４３】  本発明に係る苗床用植栽資材の一部切截斜視図である。
【図４４】  本発明に係る苗床用植栽資材の一部切截斜視図である。
【図４５】  本発明に係る苗床用植栽資材の一部切截斜視図である。
【図４６】  本発明に係る植栽床の断面斜視図である。
【図４７】  本発明に係る植栽床の正面図である。
【図４８】  本発明に係る植栽装置の一部を丸く囲んで図示する斜視図である。
【図４９】  本発明に係る植栽装置の斜視図ある。
【図５０】  図４９に示す植栽装置の側面図である。
【図５１】  図５０に示す植栽装置のＸ−Ｘ′箇所での断面図である。
【図５２】  図４９に示す植栽装置の正面図である。
【図５３】  図４９に示す植栽装置の背面図である。
【図５４】  図４９に示す植栽装置の給排水経路図である。
【図５５】  本発明に係る植栽装置の斜視図である。
【図５６】  図５５に示す植栽装置の要部切截斜視図である。
【図５７】  図５５に示す植栽装置の正面図であり、要部６箇所を丸く囲んで拡大して図示している。
【図５８】  図５５に示す植栽装置の給排水経路図である。
【図５９】  本発明に係る植栽装置の要部切截斜視図であり、一部を丸く囲んで拡大して図示している。
【図６０】  本発明に係る植栽床の断面正面図である。
【図６１】  本発明に係る植栽床の断面正面図である。
【図６２】  本発明に係るプラスチック鉢の斜視図である。
【図６３】  本発明に係る植栽床の断面正面図である。
【図６４】  従来のプラスチック鉢の断面正面図である。
【図６５】  本発明に係る植栽装置の要部正面図である。
【図６６】  図６５に示す植栽装置の要部斜視図である。
【符号の説明】
１１  糸条片
１２  先端
１３  先端突出面
１４  土砂
１５  地層
１６  植栽資材
１８  フイルム
１９  テープヤーン
２０  軸材
２１  隙間
２３  袋
２４  篭
２５  円筒
２６  水槽
２７  コンクリートブロック
２８  鉢
２９  接着剤
３０  基材
３１  植物
３２  幹根
３３  水
３４  植栽床
３５  根元
３６  畝筋
３７  溝筋
３８  重合隙間
３９  折皺付きテープヤーン
４０  プランター
４１  保水管
４２  パイプ
４３  口先
４４  給水管
４５  基台
４６  水受
４７  開口
４８  斜面
４９  立体花壇
５２  合せ目
５３  継ぎ管
５４  蓋材
５５  上側開口
５６  人工芝生
５７  水面
５８  浮子
５９  差込孔
６０  差込溝
６１  排水口
６２  漏斗
６３  フック
６４  仕切板
６５  肥料
６６  スペーサー
６７  スペーサー
６８  排水パイプ
６９  給水パイプ
７０  地経糸
７１  挿入糸
７２  地経糸
７３  地緯糸
７４  ルーパー
７５  ナイフ
７６  ニードル
７７  塗布層
７８  柵状蓋
７９  糸条片束
８０  管
８１  ヒートカッター
８２  溶融塊
８３  リング
８４  経糸
８５  布帛
８６  種子
８７  蓋
８８  カッター付ガイドバー
８９  引出ロール
９０  引出治具
９１  カッター
９２  溶融物
９３  底面
９４  容器本体
９５  容器本体の開口
９６  蓋体
９７  容器本体の底部
９８  窪み
９９  陥没開口
１００  容器本体の内部
１０１  外部容器
１０２  内部容器
１０３  上部窪み
１０４  透水孔
１０５  内部容器の内部
１０６  排水孔
１０７  カバー
１０８  開口
１０９  裁断口
１１０  鋸
１１１  ガイドリング
１１２  ガイドリング
１１３  毛羽
１１４  水分散性皮膜材
１１５  鉢底
１１６  小孔
１１７  苗
１１８  非透水性基盤
１１９  給排水パイプ
１２０  地表
１２１  給水口
１２２  植木鉢
１２３  中継パイプ
１２４  汲取口
１２５  開口部
１２６  筐体
１２７  排水口
１２８  排水パイプ
１２９  筐状カバー
１３０  水受け
１３１  支柱
１３２  格子目
１３３  脚
１３４  筒
１３５  後枠
１３６  前枠
１３７  格子目
１３８  排水管
１３９  枠
１４０  横枠
１４１  支管
１４２  上側連結管
１４３  下側連結管
１４４  支管の一部
１４５  パッキン
１４６  分管
１４７  通水孔
１４８  水位検出信号
１４９  発泡体
１５０  柵状カバー
１５１  基盤
１５２  貫通孔
１５３  水溶性粘結材
１５４  プラスチック鉢
１５５  調整部材
１５６  クランプ
１５７  クリップ
【図１】
0003780372.tif 000002
【図２】
0003780372.tif 000003
【図３】
0003780372.tif 000004
【図４】
0003780372.tif 000005
【図５】
0003780372.tif 000006
【図６】
0003780372.tif 000007
【図７】
0003780372.tif 000008
【図８】
0003780372.tif 000009
【図９】
0003780372.tif 000010
【図１０】
0003780372.tif 000011
【図１１】
0003780372.tif 000012
【図１２】
0003780372.tif 000013
【図１３】
0003780372.tif 000014
【図１４】
0003780372.tif 000015
【図１５】
0003780372.tif 000016
【図１６】
0003780372.tif 000017
【図１７】
0003780372.tif 000018
【図１８】
0003780372.tif 000019
【図１９】
0003780372.tif 000020
【図２０】
0003780372.tif 000021
【図２１】
0003780372.tif 000022
【図２２】
0003780372.tif 000023
【図２３】
0003780372.tif 000024
【図２４】
0003780372.tif 000025
【図２５】
0003780372.tif 000026
【図２６】
0003780372.tif 000027
【図２７】
0003780372.tif 000028
【図２８】
0003780372.tif 000029
【図２９】
0003780372.tif 000030
【図３０】
0003780372.tif 000031
【図３１】
0003780372.tif 000032
【図３２】
0003780372.tif 000033
【図３３】
0003780372.tif 000034
【図３４】
0003780372.tif 000035
【図３５】
0003780372.tif 000036
【図３６】
0003780372.tif 000037
【図３７】
0003780372.tif 000038
【図３８】
0003780372.tif 000039
【図３９】
0003780372.tif 000040
【図４０】
0003780372.tif 000041
【図４１】
0003780372.tif 000042
【図４２】
0003780372.tif 000043
【図４３】
0003780372.tif 000044
【図４４】
0003780372.tif 000045
【図４５】
0003780372.tif 000046
【図４６】
0003780372.tif 000047
【図４７】
0003780372.tif 000048
【図４８】
0003780372.tif 000049
【図４９】
0003780372.tif 000050
【図５０】
0003780372.tif 000051
【図５１】
0003780372.tif 000052
【図５２】
0003780372.tif 000053
【図５３】
0003780372.tif 000054
【図５４】
0003780372.tif 000055
【図５５】
0003780372.tif 000056
【図５６】
0003780372.tif 000057
【図５７】
0003780372.tif 000058
【図５８】
0003780372.tif 000059
【図５９】
0003780372.tif 000060
【図６０】
0003780372.tif 000061
【図６１】
0003780372.tif 000062
【図６２】
0003780372.tif 000063
【図６３】
0003780372.tif 000064
【図６４】
0003780372.tif 000065
【図６５】
0003780372.tif 000066
【図６６】
0003780372.tif 000067